(57)【特許請求の範囲】
【請求項１】
正面に向かって筒状に突き出ており側面に煙流入窓が空けられた暗箱収納部および上記暗箱収納部の外側に音響孔が形成された音響部材収納部を有する保護カバーと、上記暗箱収納部に収納される暗箱と、上記音響部材収納部に収納される音響部材と、上記暗箱の背面側に配置されて、上記暗箱が取り付けられるプリント基板と、上記保護カバーとの間に上記暗箱、上記音響部材および上記プリント基板を固定する本体と、を備える火災警報器において、
上記音響部材が上記暗箱の背面側にオーバラップして配置され、
上記音響部材収納部は、
上記保護カバーの背面に設けられ、上記音響部材の上記暗箱とオーバラップしない外縁部に接する第１のリブ部と、
上記暗箱の底面に設けられ、上記音響部材の上記暗箱とオーバラップした外周を囲み、上記プリント基板に略当接する高さの第２のリブ部と、
上記保護カバーの背面に設けられ、上記暗箱収納部の上記音響部材とオーバラップした堰堤に沿うとともに上記第１のリブ部の両端に連なる、上記第１のリブ部より高さが低い弧状部と
を備え、
上記音響孔に相対する上記音響部材の正面側から発生した音は、上記第１のリブ部と上記弧状部とによって上記音響孔から外部に放音され、一方、上記暗箱に相対する上記音響部材の正面側から発生した音は、上記第２のリブ部と上記弧状部とによって上記煙流入窓を経由して外部に放音される
ことを特徴とする火災警報器。
【請求項２】
上記プリント基板は、上記暗箱の上記第２のリブ部に沿う形状の切り欠きが設けられ、該切り欠き内に上記音響部材が配置されるように、上記プリント基板と上記音響部材とが併設される
ことを特徴とする請求項１記載の火災警報器。
【請求項３】
上記本体には、上記音響部材の背面側の外縁部に当接し、上記音響部材を上記第１のリブ部との間に挟んで保持する音響部材保持リブが設けられている
ことを特徴とする請求項１又は２に記載の火災警報器。
【発明の詳細な説明】
【技術分野】
【０００１】
本発明は、センサ部と警報部とを一体に備えた火災警報器に関する。
【背景技術】
【０００２】
従来の火災警報器は、扁平箱型の本体の内部に、火災を検出するセンサ部及びセンサ部で火災を検出した際に警報を発する警報部が設けられている。そして、センサ部の暗箱と警報部の音響部材とは、オーバラップしないように本体内部に配置している（例えば、特許文献１参照）。
【先行技術文献】
【特許文献】
【０００３】
【特許文献１】特開２００４−３６２５３７号公報
【発明の概要】
【発明が解決しようとする課題】
【０００４】
しかしながら、従来の火災警報器では暗箱と音響部材とをオーバラップしないように配置するため、筐体が大径化し取り扱いが不便であったり、天井等に設置したときに目立ってしまって、部屋の美観を損ねていたりしていた。そこで、音響部材の一部を暗箱とオーバラップするようにしながら暗箱の背面側に配置することが考えられる。しかし、音響部材からの警報音の一部は、暗箱の背面にぶつかったのちに筐体内部に拡散してしまうため、規定の音圧を確保できないという問題がある。
【０００５】
本発明は、前記のような課題を解決するためになされたものであり、筐体を小径化でき且つ警報音の音圧が大きい火災警報器を得ることを目的とする。
【課題を解決するための手段】
【０００６】
本発明に係る火災警報器は、正面に向かって筒状に突き出ており側面に煙流入窓が空けられた暗箱収納部および上記暗箱収納部の外側に音響孔が形成された音響部材収納部を有する保護カバーと、上記暗箱収納部に収納される暗箱と、上記音響部材収納部に収納される音響部材と、上記暗箱の背面側に配置されて、上記暗箱が取り付けられるプリント基板と、上記保護カバーとの間に上記暗箱、上記音響部材および上記プリント基板を固定する本体と、を備える火災警報器において、上記音響部材が上記暗箱の背面側にオーバラップして配置され、上記音響部材収納部は、上記保護カバーの背面に設けられ、上記音響部材の上記暗箱とオーバラップしない外縁部に接する第１のリブ部と、上記暗箱の底面に設けられ、上記音響部材の上記暗箱とオーバラップした外周を囲み、上記プリント基板に略当接する高さの第２のリブ部と、上記保護カバーの背面に設けられ、上記暗箱収納部の上記音響部材とオーバラップした堰堤に沿うとともに上記第１のリブ部の両端に連なる、上記第１のリブ部より高さが低い弧状部とを備え、上記音響孔に相対する上記音響部材の正面側から発生した音は、上記第１のリブ部と上記弧状部とによって上記音響孔から外部に放音され、一方、上記暗箱に相対する上記音響部材の正面側から発生した音は、上記第２のリブ部と上記弧状部とによって上記煙流入窓を経由して外部に放音される。
【発明の効果】
【０００７】
本発明に係る火災警報器によれば、音響部材と暗箱とを一部オーバラップするように筐体内に配置することによって筐体を小径化することができるとともに、第１のリブ部と第２のリブ部によって、音響部材からの警報音は音圧をロスすることなく、火災警報器の正面側外部に放音されるので、規定の音圧の警報音を発することができるという効果を奏する。
【図面の簡単な説明】
【０００８】
【図１】この発明の火災警報器の取り付けベース及び本体を取り外した様子を示す平面図である。
【図２】図１の断面Ａ−Ａでの火災警報器の断面図である。
【図３】火災警報器の保護カバーの平面図である。
【図４】火災警報器の暗箱、プリント基板、スピーカの平面図である。
【図５】火災警報器の本体側から覗いた平面図である。
【図６】図５の断面Ｂ−Ｂでの断面図である。
【発明を実施するための形態】
【０００９】
以下、本発明の火災警報器の好適な実施の形態につき図面を用いて説明する。なお、以下の説明において天井などに取り付けられる側を背面側、背面側の反対側を正面側と称する。また、天井などに平行な方向を水平方向と称する。
図１は、この発明の火災警報器の取り付けベース及び本体を取り外した様子を示す平面図である。図２は、図１の断面Ａ−Ａでの火災警報器の断面図である。図３は、火災警報器の保護カバーの平面図である。図４は、火災警報器の暗箱、プリント基板、スピーカの平面図である。図５は、火災警報器の本体側から覗いた平面図である。図６は、図５の断面Ｂ−Ｂでの断面図である。
【００１０】
この発明に係る火災警報器１は、外形が円形で中央から煙が流入する構造になっている。そして、この発明に係る火災警報器１は、暗箱２を内包するために中央部に円筒状に正面側に突き出た暗箱収納部３と暗箱収納部３の水平方向の外側に音響孔４が空けられた音響部材収納部５とを有する保護カバー６、保護カバー６の暗箱収納部３に収納される暗箱２、暗箱２の背面側に配置されるプリント基板７、音響部材収納部５に配置される音響部材としてのスピーカ８、保護カバー６の背面側に配置されるとともに暗箱２、プリント基板７及びスピーカ８を挟持する本体１６、本体１６の背面側に配置される図示しない取り付けベースを備える。なお、保護カバー６、本体１６及び取り付けベースをまとめて筐体と称す。
【００１１】
暗箱２は、全体の外形が円柱形状であり、側面から煙が侵入して煙が検知される。また、暗箱２は、図２に示されるように、その底面が当接せずにプリント基板７に取り付けられる構造であり、この構造によって、プリント基板７の両面にチップ状の電気部品（図示せず）が搭載可能となっている。
暗箱収納部３は、円筒状の側面に煙流入窓９が設けられ、煙流入窓９から流入した煙が暗箱２の側面から暗箱２内に流入する。
音響部材収納部５は、円盤状のスピーカ８のうち暗箱収納部３の底面と重ならない部分に対面する保護カバー６の領域に音響孔４が空けられている。音響部材収納部５にスピーカ８を配置したときのスピーカ８の中心と暗箱収納箱２の底面の中心との距離がスピーカ８の半径と暗箱収納箱２の底面の半径との和より小さくなっており、音響孔４が空けられた領域は、スピーカ８の円の一部が暗箱収納箱２の底面により切り取られた形である。
【００１２】
音響孔４が空けられた領域を囲む周囲のうち、暗箱収納部３と重ならない周囲は円弧状であり、その周囲の少し外側にスピーカ８を音響部材収納部５に配置したときスピーカ８の横方向の移動を制約する円弧状の位置決めリブ１０が設けられている。そして、スピーカ８を音響部材収納部５に配置したときスピーカ８が平面上を少し動くとスピーカ８の外周が位置決めリブ１０に当たりそれ以上の移動を防ぐ。
【００１３】
この位置決めリブ１０の内側にスピーカ８の外縁部１１に当接する円弧状の第１のリブ部１２が設けられている。そして、スピーカ８を音響部材収納部５に配置したとき、スピーカ８の外縁部１１の一部に第１のリブ部１２の頂部が当たり、スピーカ８からの音波がスピーカ８と位置決めリブ１０との間から漏れるのを防いでいる。
【００１４】
音響部材収納部５の暗箱収納部３と接する外周は、スピーカ８を音響部材収納部５に配置したときのスピーカ８の中心方向に突出た円弧である。そして、この突出した円弧上に弧状部１４が縦立している。弧状部１４は、暗箱収納部３のスピーカ８とオーバラップした堰堤に沿う形状であり、第１のリブ部１２の両端に連結されている。この弧状部１４の頂部は第１のリブ部１２の頂部より高さが低く、スピーカ８を音響部材収納部５に配置したときスピーカ８と弧状部１４との間に隙間が保たれる。弧状部１４の頂部に対面するスピーカ８の部分は振動しており、スピーカ８が弧状部１４に接すると音圧を低下してしまう。そして、僅かな隙間だけが保たれているので、保護カバー６と第１のリブ部１２とにより囲まれた前室から暗箱収納部３へ伝播する音が弧状部１４で反射して前室に戻り音響孔４から伝播する。
【００１５】
暗箱２の背面側の底面からは、暗箱２を暗箱収納部３に収納したとき位置決めリブ１０を外挿した円弧上に円弧状の第２のリブ部１３が設けられている。第２のリブ部１３はプリント基板７に略当接する高さである。そして、スピーカ８の暗箱２の背面側の底面に面した部分から放射された音波は第２のリブ部１３で反射され、暗箱２の側面から煙流入窓９を通過して正面側に伝播する。
なお、第２のリブ部１３は、スピーカ８の外周を囲むように配置されている。ここで、第２のリブ部１３として、スピーカ８の外縁部１１に当接させるように配置しても良いが、その場合、スピーカ８の振動により、暗箱２内の煙検知素子（図示せず）などのプリント基板７との半田付け部が剥離する可能性が考えられる。
【００１６】
本体１６の正面側には、図５に示されるように螺着により、本体１６を保護カバー６に取り付けたとき、図６に示されるように、スピーカ８の背面側の外縁部１１に当たり、スピーカ８を第１のリブ部１２との間に挟んで保持する音響部材保持リブ１５が設けられている。音響部材保持リブ１５は、第１のリブ部１２と略同一径の略円筒状であり、先端に複数設けられた当接部１５ａがスピーカ８の外縁部１１に当接する。
【００１７】
正面視で、スピーカ８と暗箱２とを一部オーバラップするように筐体内に配置することによって筐体を小径化することができる。保護カバー６に設けられた位置決めリブ１０と暗箱２に設けられた第２のリブ部１３によりスピーカ８を位置決めしている。
音響孔４に相対するスピーカ８の正面側の部分から発生した音は、第１のリブ部１２によって水平方向に伝播することを遮られ筐体内部に拡散することなく、直進方向の音響孔４から放音される。また、暗箱２に相対するスピーカ８の正面側の部分から発生した警報音は、第２のリブ部１３によって反射されて暗箱２の側面から煙流入窓９を経由して火災警報器１の外部に放音される。
【００１８】
このように、第１のリブ部１２と第２のリブ部１３によって、スピーカ８からの警報音は音圧をロスすることなく、火災警報器１の正面側の外部に放音されるので、規定の音圧の警報音を発することができる。特に、暗箱２に相対するスピーカ８の正面側の部分から発生される警報音が第２のリブ部１３により暗箱２の側面に沿いながら煙流入窓９から放音されることにより、スピーカ８から発生される警報音の全てが略直進方向に保護カバー６を通過して火災警報器１の外部に放音されるので、警報音の音圧ロスをより低減することができる。
【００１９】
音響孔４に相対するスピーカ８の正面側の部分から発生された警報音が弧状部１４により殆ど音響孔４から放音される一方、暗箱２に相対するスピーカ８の正面側の部分から発生された警報音も弧状部１４により殆ど煙流入窓９から放音されるので、警報音が略直進方向に保護カバー６を通過して放音され、警報音の音圧ロスを一層低減することができる。
【００２０】
弧状部１４が第１のリブ部１２よりも高さが低いので、スピーカ８が放音時に振動してもスピーカ８の振動膜が弧状部１４に接触して筐体にビビリ音が発生することがない。
【符号の説明】
【００２１】
１  火災警報器、２  暗箱、３  暗箱収納部、４  音響孔、５  音響部材収納部、６  保護カバー、７  プリント基板、８  スピーカ、９  煙流入窓、１０  位置決めリブ、１１  外縁部、１２  第１のリブ部、１３  第２のリブ部、１４  弧状部、１５  音響部材保持リブ、１５ａ  当接部、１６  本体。
【図１】
0005230489.tif 000002
【図２】
0005230489.tif 000003
【図３】
0005230489.tif 000004
【図４】
0005230489.tif 000005
【図５】
0005230489.tif 000006
【図６】
0005230489.tif 000007